(57)【要約】【課題】ＦＰＣの可撓部が捻られた状態で取り付けられるのを防ぐことでフィードモータにかかる負荷を安定して減らし、フィードモータが小型化されても光ピックアップ装置が光ディスクの半径方向にスムーズに移送できる光ディスク装置を提供する。【解決手段】ベース１と、コネクタ１１を備えた回路基板７と、コネクタ１１と電気的に接続する端子１０ａおよび端子１０ａと光ピックアップ装置８本体との間に可撓部１０ｂを有するＦＰＣ１０を備えた光ピックアップ装置８と、光ピックアップ装置８を光ディスクの半径方向に移送自在に連結する移送機構を備え、ベース１は所定の位置に移送機構およびＦＰＣ１０の可撓部１０ｂと端子１０ａの間の所定の位置を固定した。【選択図】図１
2006252653.tif 000002
【特許請求の範囲】
【請求項１】
ベースと、コネクタを備え光ピックアップ装置に対する信号の授受を行う回路基板と、前記コネクタと電気的に接続する端子およびその端子と光ピックアップ装置本体との間に可撓部を有するＦＰＣを備えた光ピックアップ装置と、前記光ピックアップ装置を光ディスクの半径方向に移送自在に連結する移送機構とを備え、前記ベースは所定の位置に前記移送機構および前記ＦＰＣの可撓部と端子の間の所定の位置を固定したことを特徴とする光ディスク装置。
【請求項２】
前記ベースは所定の位置に複数の突起を有し、前記ＦＰＣは可撓部と端子の間の所定の位置に少なくとも１つの前記突起に対応した複数の孔を有し、前記孔が前記突起に貫装されたことを特徴とする請求項１に記載の光ディスク装置。
【請求項３】
前記ベースに固定される前記ＦＰＣの可撓部と端子の間の所定の位置と端子の長さはその端子が前記コネクタに対し正確に挿着することができる長さであることを特徴とする請求項１に記載の光ディスク装置。
【請求項４】
前記回路基板は前記ベースの外側にあり、前記ＦＰＣは前記回路基板の外側を通り回路基板の反対面に備えられた前記コネクタと電気的に接続されることを特徴とする請求項３に記載の光ディスク装置。
【請求項５】
前記移送機構は前記光ピックアップを移送自在に連結する第１のガイドシャフトと第２のガイドシャフトを備え、前記ベースは所定の位置に第１のガイドシャフトおよび第２のガイドシャフトを固定したことを特徴とする請求項１に記載の光ディスク装置。
【発明の詳細な説明】
【技術分野】
【０００１】
本発明はパーソナルコンピュータ、ノートブック型コンピュータ等の電子機器に搭載される光ディスク装置に関するものである。
【背景技術】
【０００２】
従来からノートブック型コンピュータなどに搭載される光ディスク装置は高機能化が進められ、ＣＤとＤＶＤとに対して１台の装置で記録再生することが可能となっている。またノートブック型コンピュータの小型化、薄型化、軽量化に伴い、それに搭載される光ディスク装置も小型化、薄型化、軽量化が進められてきた。
【０００３】
従来の光ディスク装置の駆動機構の構成について図を用いて説明する。図４は従来の光ディスク装置の駆動機構の裏面から見た構成図である。スピンドルモータ１０２はベース１０１に固定され、光ディスク（図示せず）を回転駆動する。フィードモータ１０３はベース１０１に固定される。フィードモータ１０３はステッピングモータ、ＤＣモータ等が使われ、光ピックアップ装置１０８を光ディスクの半径方向に移送するように駆動する。スクリューシャフト１０４の一端はベース１０１に固定されるシャフト調整部材１１２に回転自在に結合され、他端はフィードモータ１０３に直接または数段のギアを介して接続される。スクリューシャフト１０４はらせん状に溝が形成されており、光ピックアップ装置１０８に設けられた駆動連結部材１０９のラックと組み合わされることでフィードモータ１０３の回転駆動力を直線駆動力に変換して光ピックアップ装置１０８に伝達する。第１のガイドシャフト１０５はシャフト固定部材１１３およびシャフト調整部材１１４によって、第２のガイドシャフト１０６はシャフト調整部材１１５、１１６によってベース１０１に固定される。光ピックアップ装置１０８は第１のガイドシャフト１０５および第２のガイドシャフト１０６に移送自在に連結される。光ピックアップ装置１０８の光軸はシャフト調整部材１１４、１１５、１１６の調整機構により光ディスク（図示せず）面と垂直になるように調整される。また、スクリューシャフト１０４はシャフト調整部材１１２の調整機構により第１のガイドシャフト１０５および第２のガイドシャフト１０６と平行になるように調整される。スクリューシャフト１０４、第１のガイドシャフト１０５、第２のガイドシャフト１０６は光ピックアップ装置１０８がフィードモータ１０３の回転に伴い第１のガイドシャフト１０５に沿って光ディスクの半径方向に移送される方向に設置されている（（特許文献１）参照のこと。）。移送機構はフィードモータ１０３、スクリューシャフト１０４、第１のガイドシャフト１０５、第２のガイドシャフト１０６を備える。
【０００４】
また、光ピックアップ装置１０８に記録や再生の信号を出したり光ピックアップ装置１０８からの信号を受けたりする回路基板１０７と光ピックアップ装置１０８本体は光ピックアップ装置１０８が有するＦＰＣ１１０を介して接続される。ＦＰＣ１１０の端子１１０ａは回路基板１０７に備わるコネクタ１１１に真直に挿着される。光ピックアップ装置１０８が光ディスクの半径方向に移送される際、ＦＰＣ１１０の可撓部１１０ｂが自在に撓むため光ピックアップ装置１０８は実際に光ディスクの半径方向に動くことができる。
【特許文献１】特開平１１−２３２６５４号公報
【発明の開示】
【発明が解決しようとする課題】
【０００５】
光ディスク装置の小型化、薄型化、軽量化が進められる中でフィードモータについても小型化が進められてきた。フィードモータが小さくなることで回転駆動力も小さくなり、光ピックアップ装置が光ディスクの半径方向にスムーズに移送されないという問題が発生してきた。光ピックアップ装置が光ディスクの半径方向にスムーズに移送されるためにはフィードモータにかかる負荷を安定して減らすことが必要である。
【０００６】
一方、ＦＰＣの可撓部が捻られた状態で取り付けられると、光ピックアップ装置が光ディスクの半径方向に移送される際にフィードモータの負荷になることがわかってきた。また回路基板に備わるコネクタは位置決め精度が必ずしも良いわけではないため、ＦＰＣの可撓部は捻られた状態で取り付けられる可能性がある。
【０００７】
本発明は上記従来の問題点を解決するもので、ＦＰＣの可撓部が捻られた状態で取り付けられるのを防ぐことでフィードモータにかかる負荷を安定して減らし、フィードモータが小型化されても光ピックアップ装置が光ディスクの半径方向にスムーズに移送される光ディスク装置を提供することを目的とする。
【課題を解決するための手段】
【０００８】
上記課題を解決するために、本発明の光ディスク装置は、ベースと、コネクタを備え光ピックアップ装置に対する信号の授受を行う回路基板と、前記コネクタと電気的に接続する端子およびその端子と光ピックアップ装置本体との間に可撓部を有するＦＰＣを備えた光ピックアップ装置と、前記光ピックアップ装置を光ディスクの半径方向に移送自在に連結する移送機構とを備え、前記ベースは所定の位置に前記移送機構および前記ＦＰＣの可撓部と端子の間の所定の位置を固定した構成とした。
【０００９】
光ピックアップ装置本体が連結される移送機構とＦＰＣの可撓部と端子の間の所定の位置が共通の部材であるベースの所定の位置に固定される。そのために光ピックアップ装置本体とＦＰＣの固定部の位置精度が良くなり、ＦＰＣの可撓部が捻られた状態で取り付けられることを防ぐことができる。
【発明の効果】
【００１０】
本発明の光ディスク装置は、ＦＰＣの可撓部が捻られた状態で取り付けられることを防ぐことができるため、フィードモータにかかる負荷を安定して減らし、フィードモータが小型化されても光ピックアップ装置が光ディスクの半径方向にスムーズに移送できる。
【発明を実施するための最良の形態】
【００１１】
本発明の第１の発明は、ベースと、コネクタを備え光ピックアップ装置に対する信号の授受を行う回路基板と、コネクタと電気的に接続する端子およびその端子と光ピックアップ装置本体との間に可撓部を有するＦＰＣを備えた光ピックアップ装置と、光ピックアップ装置を光ディスクの半径方向に移送自在に連結する移送機構とを備え、ベースは所定の位置に移送機構およびＦＰＣの可撓部と端子の間の所定の位置を固定したことを特徴とする光ディスク装置である。
【００１２】
ＦＰＣの可撓部が捻られた状態で取り付けられることを防ぐことができるため、フィードモータにかかる負荷を安定して減らし、フィードモータが小型化されても光ピックアップが光ディスクの半径方向にスムーズに移送できる。
【００１３】
第２の発明は、第１の発明においてベースは所定の位置に複数の突起を有し、ＦＰＣは可撓部と端子の間の所定の位置に少なくとも１つの突起に対応した複数の孔を有し、孔が突起に貫装されたことを特徴とする光ディスク装置である。
【００１４】
対応する複数の突起と孔により、ベースに対するＦＰＣの位置と角度を正確に合わせることができる。また、可撓部と端子の間の所定の位置に少なくとも１つの孔を有しているのでＦＰＣの可撓部が捻られた状態で取り付けられることを防ぐことができる。
【００１５】
第３の発明は、第１の発明においてベースに固定されるＦＰＣの可撓部と端子の間の所定の位置と端子の長さはその端子がコネクタに対し正確に挿着することができる長さであることを特徴とする光ディスク装置である。
【００１６】
ＦＰＣの可撓部と端子の間の所定の位置がベースに固定されるが、ベースとコネクタの位置精度は必ずしも良くない。そのため所定の位置と端子の長さが短いと端子がコネクタに正確に挿着されずに接続不良になる場合がある。そこでＦＰＣの可撓性を利用してＦＰＣの端子がコネクタに正確に挿着されるだけ所定の位置と端子の長さを長くすることで、接続不良を抑制することができる。
【００１７】
第４の発明は、第３の発明において回路基板はベースの外側にあり、ＦＰＣは回路基板の外側を通り回路基板の反対面に備えられたコネクタと電気的に接続されることを特徴とする光ディスク装置である。
【００１８】
ＦＰＣがベースに固定される位置と端子までの長さを回路基板の裏と表で確保することができる。そのため接続不良を抑制することができるとともに回路基板の寸法を小さくすることができる。
【００１９】
第５の発明は、第１の発明において移送機構は光ピックアップを移送自在に連結する第１のガイドシャフトと第２のガイドシャフトを備え、ベースは所定の位置に第１のガイドシャフトおよび第２のガイドシャフトを固定したことを特徴とする光ディスク装置である。
【００２０】
移送機構の中でも特に直接光ピックアップ装置を連結する第１のガイドシャフトと第２のガイドシャフトをベースに固定するため、ＦＰＣの捻りをより抑えることができる。
【００２１】
（実施の形態１）
以下、本発明の実施の形態１について図面を参照しながら説明する。図１は本発明の実施の形態１の光ディスク装置の駆動機構の裏面から見た構成図、図２は本発明の実施の形態１の光ディスク装置の表面から見た構成図である。
【００２２】
ベース１はシャーシであり、主要構成品はこのベース１の所定の位置に設けられる。スピンドルモータ２はベース１に固定され、光ディスク（図示せず）を回転駆動する。フィードモータ３はベース１に固定される。フィードモータ３はステッピングモータ、ＤＣモータ等が使われ、光ピックアップ装置８を光ディスクの半径方向に移送するように駆動する。スクリューシャフト４の一端はベース１に固定されるシャフト調整部材１２に回転自在に結合され、他端はフィードモータ３に直接または数段のギアを介して接続される。本実施の形態１ではスクリューシャフト４はステッピングモータに直接接続された。スクリューシャフト４はらせん状に溝が形成されており、光ピックアップ装置８に設けられた駆動連結部材９のラックと組み合わされることでフィードモータ３の回転駆動力を直線駆動力に変換して光ピックアップ装置８に伝達する。第１のガイドシャフト５はシャフト固定部材１３およびシャフト調整部材１４によって、第２のガイドシャフト６はシャフト調整部材１５、１６によってベース１の所定の位置に固定される。光ピックアップ装置８は第１のガイドシャフト５および第２のガイドシャフト６に移送自在に連結される。移送機構はフィードモータ３、スクリューシャフト４、第１のガイドシャフト５、第２のガイドシャフト６を備える。
【００２３】
光ピックアップ装置８の光軸はシャフト調整部材１４、１５、１６の調整機構により光ディスク（図示せず）面と垂直になるように調整される。また、スクリューシャフト４はシャフト調整部材１２の調整機構により第１のガイドシャフト５および第２のガイドシャフト６と平行になるように調整される。スクリューシャフト４、第１のガイドシャフト５、第２のガイドシャフト６は光ピックアップ装置８がフィードモータ３の回転に伴い第１のガイドシャフト５に沿って光ディスクの半径方向に移送される方向に設置されている。
【００２４】
また、光ピックアップ装置８に記録や再生のための信号を出したり、光ピックアップ装置８からの信号を受けたりする回路基板７はコネクタ１１を備えている。また、光ピックアップ装置８はＦＰＣ１０を有している。光ピックアップ装置８はＦＰＣ１０の端子１０ａとコネクタ１１を介して回路基板７に接続される。ＦＰＣ１０の端子１０ａは回路基板７の反対側に備わるコネクタ１１に正確に挿着される。光ピックアップ装置８が光ディスクの半径方向に移送される際、ＦＰＣ１０の可撓部１０ｂが自在に撓むため光ピックアップ装置８は実際に光ディスクの半径方向に動くことができる。
【００２５】
図２において本実施の形態１の光ディスク装置の駆動機構はトレイ２２に設けられている。筐体２１は上部筐体２１ａと下部筐体２１ｂを組み合わせて構成されている。トレイ２２は筐体２１に出没自在に設けられている。トレイ２２はトレイ本体２２ａとトレイカバー２２ｂとを備えており、前記駆動機構を上下から挟み込んでいる。前記駆動機構はスピンドルモータ２、フィードモータ３、光ピックアップ装置８の一部、および保護カバー１７が露出している。保護カバー１７はトレイ本体２２ａとほぼ同じ高さに設定されており、光ピックアップ装置８の必要最小限のみを露出させ、ＦＰＣ１０の可撓部１０ｂは露出させず、ＦＰＣ１０と光ディスクの衝突を回避している。ベゼル２３はトレイ２２の前端面に設けられて、トレイ２２が筐体２１内に収納された時にトレイ２２の出没口を塞ぐように構成されている。筐体２１内部やトレイ２２内部には回路基板７およびその他の回路基板があり、信号処理系のＩＣや電源回路などが搭載されている。図示していない外部コネクタ２４はコンピュータ等の電子機器に設けられた電源／信号ラインと接続される。そして、外部コネクタ２４を介して光ディスク装置内に電力を供給したり、あるいは外部からの電気信号を光ディスク装置内に導いたり、あるいは光ディスク装置で生成された電気信号を電子機器などに送出する。
【００２６】
ベース１は所定の位置に２つの突起１ａを有している。また、ＦＰＣ１０は端子１０ａと可撓部１０ｂの間の所定の位置に２つの孔１０ｃを有している。それぞれのＦＰＣ１０の孔１０ｃはベース１のそれぞれに対応する突起１ａに貫挿され、突起１ａはさらに光ディスク装置のトレイカバー２２ｂの対応する孔に貫挿される。ベース１はトレイカバー２２ｂにネジで固定される。そのためＦＰＣ１０はベース１の突起１ａを通してベース１とトレイカバー２２ｂに挟まれる形で固定される。
【００２７】
本実施の形態１では孔１０ｃおよび突起１０ａはそれぞれ２つとした。２つずつあればＦＰＣ１０とベース１の位置と回転角度が一義的に決まる。１つずつであればＦＰＣ１０とベース１の位置は一義的に決まるが回転角度は決まらない。３つ以上は数が増えるほどより厳密な孔１０ｃの位置精度と突起１ａの位置精度が要求されるが、より厳密にＦＰＣ１０とベース１の位置と回転角度が一義的に決まる。
【００２８】
以上のような構成とした結果、スピンドルモータ２、フィードモータ３、第１のガイドシャフト５、第２のガイドシャフト６、すなわち移送機構はベース１の所定の位置に固定される。したがって、第１のガイドシャフト５および第２のガイドシャフト６に移送自在に連結される光ピックアップ装置８はベース１に対して所定の範囲を移送される。さらに光ピックアップ装置８が備えるＦＰＣ１０もベース１の突起１ａにより孔１０ｃがベース１の所定の位置に固定される。そのため、ＦＰＣ１０の可撓部１０ｂは光ピックアップ装置８本体側も孔１０ｃ側もベース１に対して所定の位置にあることになり、両者の相対的な位置ずれは小さくなるためＦＰＣ１０の可撓部１０ｂが捻られた状態で取り付けられることを防ぐことができる。そのため、フィードモータ３にかかる負荷を安定して減らし、フィードモータ３が小型化されても光ピックアップ装置８が光ディスクの半径方向にスムーズに移送できる光ディスク装置とすることができる。
【００２９】
回路基板７に設けられるコネクタ１１は回路基板７に対して厳密に位置を決めることが困難であり、回路基板７もベース１に対し正確な位置は決まらない。そのためＦＰＣ１０のベース１に対する固定部と端子１０ａの長さはＦＰＣ１０の可撓性を使って端子１０ａがコネクタ１１に正確に挿着することができるだけの長さとすることが望ましい。本実施の形態１において、コネクタ１１は回路基板７の反対側に設けており、ＦＰＣ１０は回路基板７を横断した上で回路基板７の反対側まで延ばされ、その長さは十分に確保されている。同時に回路基板７の長さも小さくすることができるとともにＦＰＣ１０の不要な余りも少なくできる。
【００３０】
なお、本実施の形態１において、ＦＰＣ１０のベース１に対する固定は、トレイカバー２２ｂをベース１にネジ留めすることで行われた。しかし、これに限るものではなく、トレイカバー２２ｂではなく、専用の押さえ部材を用いて固定しても良い。押さえ部材とベース１をネジ留めではなく接着剤で接着しても構わないし、押さえ部材を用いずにＦＰＣ１０とベース１を接着剤で接着しても良い。
【００３１】
また、本実施の形態１ではベース１とＦＰＣ１０に位置決め手段は突起１ａと孔１０ｃとした。しかしそれに限るものではなく、たとえば、ＦＰＣ１０の所定の位置に切り欠きを設け、ベース１にその切り欠きに対応する凸部を設けても良い。また、ＦＰＣ１０には孔１０ｃや切り欠きを設けず、ＦＰＣ１０の角を利用し、その角の形状に対応するベース１の凸部を設けても良い。
【００３２】
また、本実施の形態ではフィードモータ３とスクリューシャフト４は直接接続されていたが、別体としてギアを介して接続しても良い。
【００３３】
（実施の形態２）
本発明の実施の形態２について図面を参照しながら説明する。図３は本発明の実施の形態２の光ディスク装置の駆動機構の裏面から見た構成図である。図１と違うのはベース１の突起１ａおよびＦＰＣ１０の孔１０ｃの位置のみである。したがって、その他の部分の説明は実施の形態１の説明を援用する。
【００３４】
ＦＰＣ１０の孔１０ｃの１つは端子１０ａと可撓部１０ｂの間の所定の位置にあるが、もう１つはスピンドルモータ２の近傍にある。この位置はＦＰＣ１０の可撓部１０ｂでもなく、端子１０ａまでの長さは端子１０ａと可撓部１０ｂの間の所定の位置にある孔１０ｃよりも長い。したがって、ＦＰＣ１０はベース１の所定の位置に固定されるためにＦＰＣ１０の可撓部１０ｂが捻られた状態で取り付けられることを防ぐことができる。そのため、フィードモータ３にかかる負荷を安定して減らし、フィードモータ３が小型化されても光ピックアップ装置８が光ディスクの半径方向にスムーズに移送できる光ディスク装置とすることができる。また、ＦＰＣ１０のベース１に対する固定部と端子１０ａの長さはＦＰＣ１０の可撓性を使って端子１０ａがコネクタ１１に正確に挿着することができるだけの長さとすることができる。
【００３５】
以上のように実施の形態２においても実施の形態１と同様の効果を得ることができる。
【産業上の利用可能性】
【００３６】
以上のように本発明の光ディスク装置はフィードモータが小型化されても光ピックアップが光ディスクの半径方向にスムーズに移送できる。そのため、小型、薄型のパーソナルコンピュータに好適に搭載することができる。
【図面の簡単な説明】
【００３７】
【図１】本発明の実施の形態１の光ディスク装置の駆動機構の裏面から見た構成図
【図２】本発明の実施の形態１の光ディスク装置の表面から見た構成図
【図３】本発明の実施の形態２の光ディスク装置の駆動機構の裏面から見た構成図
【図４】従来の光ディスク装置の駆動機構の裏面から見た構成図
【符号の説明】
【００３８】
１    ベース
１ａ    突起
２    スピンドルモータ
３    フィードモータ
４    スクリューシャフト
５    第１のガイドシャフト
６    第２のガイドシャフト
７    回路基板
８    光ピックアップ装置
９    駆動連結部材
１０    ＦＰＣ
１０ａ    端子
１０ｂ    可撓部
１０ｃ    孔
１１    コネクタ
１２、１４、１５、１６    シャフト調整部材
１３    シャフト固定部材
１７    保護カバー
２１    筐体
２２    トレイ
２２ａ    トレイ本体
２２ｂ    トレイカバー
２３    ベゼル
２４    外部コネクタ
【図１】
2006252653.tif 000003
【図２】
2006252653.tif 000004
【図３】
2006252653.tif 000005
【図４】
2006252653.tif 000006